(57)【要約】ユーザ機器（ＵＥ）における呼出情報を高速フーリエ変換処理する方法と装置。その装置は、フロントエンド受信器（２０１）、オプションのアナログフィルタ（２０２）、及び、アナログデジタル（Ａ／Ｄ）変換器（２０３）を含む。第１のデジタルフィルタ、バッファ（２０６）、Ｎ段の高速フーリエ変換プロセッサ（ＦＦＴN）（２１２）がＡ／Ｄ変換器（２０３）の出力からの第１のブランチに結合される。第１のデジタルフィルタ（２０４）は、所定のバンド幅（ＢＷA）を有している。オプションのデジタルミキサ（２０８）は、Ａ／Ｄ変換器（２０３）の出力の第２のブランチに切り替え可能に結合され、第２のブランチをデジタル的にベースバンド信号内の呼出情報（ｆp）の中心周波数にダウンコンバートする。第２のデジタルフィルタ（２０９）とＭ段の高速フーリエ変換プロセッサ（ＦＦＴM）（２１０）は、デジタルミキサ（２０８）の出力に結合されている。ここで、Ｍ＜Ｎであり、Ｎはより小さいバンド幅（ＢＷB）を有する。呼出検出器（２１２）はＦＦＴMプロセッサ（２１０）の出力に結合されている。その呼出検出器は、ＵＥに対する非呼出情報を検出したなら、ＦＦＴNプロセッサ（２１２）は停止する。
2009522969.tif 000002
【特許請求の範囲】
【請求項１】
通信システムにおける呼出情報の高速フーリエ変換（ＦＦＴ）処理の方法であって、
アナログ信号を受信する工程と、
前記アナログ信号を第１のデジタル信号に変換する工程と、
前記第１のデジタル信号を第１のバンド幅（ＢＷA）を有する第１のフィルタによりデジタル的にフィルタし、第２のデジタル信号を取得する工程と、
前記第２のデジタル信号をバッファに格納する工程と、
前記第１のデジタル信号を第２のバンド幅（ＢＷB）を有する第２のフィルタによりデジタル的にフィルタし、第３のデジタル信号を取得する工程と、
前記第３のデジタル信号のＦＦＴM処理と前記第２のデジタル信号のＦＦＴN処理とを同時に開始する工程と、
前記ＦＦＴM処理された第３のデジタル信号をデコードする工程と、
前記ＦＦＴM処理された第３のデジタル信号のデコードに基づいて、前記バッファからの前記第２のデジタル信号の前記ＦＦＴN処理が完了したかどうかを判断する判断工程とを有することを特徴とする方法。
【請求項２】
前記第３のデジタル信号はパケット呼出情報を有することを特徴とする請求項１に記載の方法。
【請求項３】
前記第２のデジタル信号は非呼出データを含むことを特徴とする請求項１に記載の方法。
【請求項４】
ＢＷAはＢＷBより広いことを特徴とする請求項１に記載の方法。
【請求項５】
前記受信信号は直交周波数分割多重（ＯＦＤＭ）された信号であることを特徴とする請求項１に記載の方法。
【請求項６】
スーパー３Ｇ（Ｓ３Ｇ）通信システムにおいて使用されることを特徴とする請求項５に記載の方法。
【請求項７】
ＢＷAは約１．２５ＭＨｚであることを特徴とする請求項１に記載の方法。
【請求項８】
前記アナログ信号をデジタル信号に変換するのに先立ち、前記アナログ信号をフィルタリングする工程をさらに有することを特徴とする請求項１に記載の方法。
【請求項９】
前記第１のデジタル信号をミキサで他の信号とミックスして前記第１のデジタル信号をダウンコンバートし、前記第３のデジタル信号が呼出情報（ｆp）信号の中心周波数であるようにする工程をさらに有することを特徴とする請求項１に記載の方法。
【請求項１０】
呼出情報を処理する方法であって、
送信時間間隔（ＴＴＩ）に先立つ時間Δが開始するまで待機モードにあるユーザ機器（ＵＥ）の無線系を維持する工程と、
信号が前記無線系により受信されるときに、前記無線系を切り替える工程と、
前記受信信号をデジタルアナログ変換する工程と、
前記デジタル信号を第１のバンド幅（ＢＷA）を有する第１のフィルタによりデジタル的にフィルタリングし、デジタル信号の第１の部分を取得する工程と、
前記デジタル信号の第１の部分をバッファに格納する工程と、
前記デジタル信号を第２のバンド幅（ＢＷB）を有する第２のフィルタによりフィルタリングし、前記デジタル信号の第２の部分を取得する工程と、
前記デジタル信号の第２の部分を高速フーリエ変換（ＦＦＴM）により処理する工程と、
前記デジタルの第２の部分のＦＦＴM処理により呼出情報を抽出する工程とを有することを特徴とする方法。
【請求項１１】
前記デジタル信号の第１の部分は非呼出データを含むことを特徴とする請求項１０に記載の方法。
【請求項１２】
前記非呼出データが前記ユーザ機器（ＵＥ）に対するものであることが意図されているかどうかを判断するために前記抽出された呼出情報をデコードする工程をさらに有することを特徴とする請求項１１に記載の方法。
【請求項１３】
前記受信信号の受信を終了し、前記デコードされた呼出情報が前記非呼出データが前記ＵＥに対して意図されたものでないことを示しているなら前記無線系を待機モードにする工程をさらに有することを特徴とする請求項１２に記載の方法。
【請求項１４】
前記バッファを消去する工程をさらに有することを特徴とする請求項１２に記載の方法。
【請求項１５】
前記抽出された呼出情報が前記非呼出データが前記ＵＥに対して意図されたものであることを示すなら前記バッファに格納された前記非呼出データを処理する工程をさらに有することを特徴とする請求項１２に記載の方法。
【請求項１６】
非呼出データを高速フーリエ変換（ＦＦＴN）処理する工程をさらに有することを特徴とする請求項１５に記載の方法。
【請求項１７】
前記受信信号のアナログデジタル変換に先立って前記受信信号をアナログフィルタリングする工程をさらに有することを特徴とする請求項１０に記載の方法。
【請求項１８】
ユーザ機器（ＵＥ）の呼出情報の高速フーリエ変換（ＦＦＴ）処理を行う装置であって、
ＲＦ信号を受信してベースバンド信号にダウンコンバートするように適合されたフロントエンド受信器と、
前記フロントエンド受信器と結合され、アナログ信号をデジタル信号に変換するように適合されたアナログデジタル（Ａ／Ｄ）変換器と、
前記Ａ／Ｄ変換器の出力からの第１のブランチに結合される、所定のバンド幅（ＢＷA）を有する第１のデジタルフィルタと、
前記第１のデジタルフィルタに結合され、前記デジタル信号を格納するように適合されたバッファと、
前記バッファの出力に結合され、前記デジタル信号を処理するように適合された、Ｎ段の高速フーリエ変換プロセッサ（ＦＦＴN）と、
所定のバンド幅（ＢＷB）を有する第２のデジタルフィルタと、
前記Ａ／Ｄ変換器の出力からの第２のブランチに結合され、前記Ａ／Ｄ変換器の出力からの第２のブランチを前記第２のデジタルフィルタに切り替え可能に結合するように適合されたクロック／タイマと、
前記第２のデジタルフィルタの出力に結合された、Ｍ段の高速フーリエ変換プロセッサ（ＦＦＴM）と、
前記ＦＦＴMプロセッサの出力に結合され、呼出情報信号を検出するように適合された呼出検出器とを有することを特徴とする装置。
【請求項１９】
前記ＦＦＴMプロセッサのＭは前記ＦＦＴNプロセッサのＮより小さいことを特徴とする請求項１８に記載の装置。
【請求項２０】
前記ＦＦＴNプロセッサのＮは約２０４８であることを特徴とする請求項１９に記載の装置。
【請求項２１】
前記ＦＦＴMプロセッサのＭは約１２８であることを特徴とする請求項１８に記載の装置。
【請求項２２】
前記ＵＥは、前記呼出検出器によって検出される呼出情報信号が前記ユーザ機器（ＵＥ）に対するものであることが意図されていることを示すなら、前記バッファに格納された情報を取り出すように適合されていることを特徴とする請求項１８に記載の装置。
【請求項２３】
前記ＵＥは、前記ＵＥは、前記呼出検出器によって検出される呼出情報信号が前記ＵＥに対して意図されたものでないことを示しているなら、前記フロントエンド受信器と、ＦＦＴプロセッサと、フィルタとをスタンバイモードにするように適合されていることを特徴とする請求項１８に記載の装置。
【請求項２４】
直交周波数分割多重（ＯＦＤＭ）された信号を処理するように適合されていることを特徴とする請求項１８に記載の装置。
【請求項２５】
スーパー３Ｇ（Ｓ３Ｇ）通信システムにおいて使用されることを特徴とする請求項２４に記載の装置。
【請求項２６】
前記ベースバンド信号をフィルタリングするように適合され、前記フロントエンド受信器の出力と前記Ａ／Ｄ変換器の入力との間に結合されるアナログフィルタをさらに有することを特徴とする請求項１８に記載の装置。
【請求項２７】
呼出情報（ｆp）信号の中心周波数にダウンコンバートするように適合され、前記Ａ／Ｄ変換器の出力からの前記第２のブランチと前記第２のデジタルフィルタとの間に切り替え可能に結合されたミキサをさらに有し、
前記クロック／タイマは前記ミキサを前記Ａ／Ｄ変換器の出力からの前記第２のブランチに切り替え可能に結合するように適合されていていることを特徴とする請求項１８に記載の装置。
【発明の詳細な説明】
【技術分野】
【０００１】
本発明は一般には通信システムに関し、特に、直交周波数分割多重（ＯＦＤＭ）変調技術を用いるように適合された無線通信システムに関する。
【背景技術】
【０００２】
汎欧州デジタル移動電話方式（ＧＳＭ）や広帯域符号分割多重接続（ＷＣＤＭＡ）のような進化する移動体セルラ標準はおそらく、より高速なデータ速度での配信のためにＯＦＤＭのような変調技術を必要とするようになるであろう。ＯＦＤＭは、利用可能なバンド幅を搬送波として知られる一連の周波数へと分割する信号を多重化する方法である。ＯＦＤＭは、そのシンボル期間がＣＤＭＡやＴＤＭＡのような単一搬送波の変調技術におけるシンボル期間よりも長いために、シンボル間干渉（ＩＳＩ）に対していくらか免疫性がある。さらにＩＳＩを低減するために、ＯＦＤＭシンボルにはガード期間が付加されている。そのガード期間はＯＦＤＭのサイクリックなプレフィックスから成り立っていると良い。ＯＦＤＭにサイクリックなプレフィックスを導入することにより、ＯＦＤＭを遅延の拡散に対して耐性のあるものにし、比較的高速なデータ速度を容易にする。
【０００３】
現存するセルラシステムを、現存する無線スペクトラムを用いて大容量で高速データ速度のシステムへとスムーズに移行させることを保証するために、新しいシステムは柔軟なバンド幅（ＢＷ）で動作可能でなければならない。スーパー３Ｇ（Ｓ３Ｇ）が新しい柔軟性に富むシステムとして提案されている。Ｓ３Ｇはパケットデータサービスだけをサポートする３ＧのＷＣＤＭＡ標準の進化形として意図されたものである。Ｓ３Ｇはおそらく、ＯＦＤＭを用い、１．２５ＭＨｚから２０ＭＨｚの拡がりをもつＢＷで動作するであろう。最大１００Ｍｂ／ｓの出力速度が広帯域のＳ３Ｇサービスでは可能となろう。そのような高速データ速度を達成するために、レイテンシー或はラウンドトリップタイム（ＲＴＴ）は１０ミリ秒（ｍｓ）以下でなければならない。ＲＴＴはデータパケットがネットワークを通って送信機に応答確認とともに戻ってくるのに要する時間である。それ故に、符号化ブロック長である送信時間間隔（ＴＴＩ）は約０．５ｍｓであることが期待される。
【０００４】
Ｓ３Ｇの柔軟性、短いＲＴＴ、高速データ速度は移動体端末の設計に複雑さを加えるものとなるであろう。例えば、パケット呼出検出を迅速に行って、動作状態とスリープ状態との間の迅速な切り替えに適合した強力で効率的な移動体端末の実施形ができるようにしなければならない。言い換えると、ユーザ機器（ＵＥ）は、ＴＴＩが０．５ｍｓである場合でさえも低デューティサイクルをもつように設計されねばならない。そのデューティサイクルは無線系がチューニングされる相対的な時間である。デューティサイクルが低いことは、その無線系がオフされているときの時間と比較して短い継続時間でチューニングされることを意味する。
【０００５】
図１は０．５ｍｓのＴＴＩをもつ提案されたＳ３Ｇを示している。各ＴＴＩの継続時間は常に同じであるが、ＯＦＤＭシンボルの数はサイクリックなプレフィックスのサイズに依存して６〜８で変化できる。大きなサイクリックなプレフィックスが必要とされるセルでは、遅延拡散の小さいセルと比較してより少ないＯＦＤＭシンボルがある。図１に見られるように、ＯＦＤＭシンボルは、呼出情報１０１、同報情報や同期情報のような他の制御情報１０２、及びデータ１０３を含む。呼出情報１０１は最初のＯＦＤＭシンボルに組み込まれる。呼出情報１０１は通常、１０〜１００ビットからなり、各ＯＦＤＭシンボルは、２０ＭＨｚのバンド幅に基づけば、１２００個のキャリアがあり、１６直交振幅変調（ＱＡＭ）を用いる場合、４８００ビットからなりたっているので、最初のシンボルのごくわずかな部分だけが呼出情報から成り立っている。ある周波数ダイバーシチをもたせるために、その呼出情報は、例えば、１ＭＨｚにわたって拡散される。これは、依然として、例えば、最大２０ＭＨｚの全バンド幅に比較して非常に小さいバンド幅である。
【発明の開示】
【発明が解決しようとする課題】
【０００６】
呼出検出の従来の方法では、呼出情報はまずＵＥに送信され、それから非呼出データが送信される。端末或はＵＥにおける電力をできるだけ節約するために、ＵＥにおける無線系とベースバンドプロセッサは、それが必要でないならオフされるべきである。望まれるものは、広いＢＷで高速データ速度のＳ３Ｇの実施形においてより効率的に呼出情報を検出する方法及び装置である。そのような方法と装置は、呼出情報と非呼出データとを同時に送信する。そのような方法と装置は、デューティサイクルを低減し、これによりＵＥの電力消費を低減する。
【課題を解決するための手段】
【０００７】
本発明は、通信システムにおける呼出情報を高速フーリエ変換処理する方法と装置とを含むものである。本発明の方法は、アナログ信号を受信することを含む。そのアナログ情報はそれから、第１のデジタル信号に変換され、第１のバンド幅（ＢＷA）を有する第１のフィルタによりデジタル的にフィルタリングされ、第２のデジタル信号を取得する。第２のデジタル信号はバッファに格納される。第１のデジタル信号はさらに第２のバンド幅（ＢＷB）を有する第２のフィルタによりデジタル的にフィルタリングされ、第３のデジタル信号を取得する。第３のデジタル信号のＦＦＴM処理が第２のデジタル信号のＦＦＴN処理と同時に開始される。それから、ＦＦＴM処理された第３のデジタル信号はデコードされ、ＦＦＴM処理された第３のデジタル信号のデコードに基づいて、バッファからの第２のデジタル信号のＦＦＴN処理が完了したかどうかの判断がなされる。
【０００８】
上述の方法を実施する本発明の装置は、ＲＦ信号を受信してベースバンド信号にダウンコンバートするように適合されたフロントエンド受信器を含む。アナログデジタル（Ａ／Ｄ）変換器がそのフロントエンド受信器と結合され、アナログ信号をデジタル信号に変換するように適合される。第１のデジタルフィルタは、所定のバンド幅（ＢＷA）を有しており、Ａ／Ｄ変換器の出力からの第１のブランチに結合される。バッファがそのデジタルフィルタに結合され、デジタル信号を格納するように用いられる。Ｎ段の高速フーリエ変換プロセッサ（ＦＦＴN）が、デジタル信号を処理するように適合されており、バッファの出力に結合される。クロック／タイマは、Ａ／Ｄ変換器の出力からの第２のブランチに結合され、Ａ／Ｄ変換器の出力からの第２のブランチを、所定のバンド幅（ＢＷB）を有する第２のデジタルフィルタに切り替え可能に結合するように適合されている。Ｍ段の高速フーリエ変換プロセッサ（ＦＦＴM）は、第２のデジタルフィルタの出力に結合され、呼出検出器はＦＦＴMプロセッサの出力に結合されている。その呼出検出器は、呼出情報信号を検出するように適合されている。本発明の方法と装置は、柔軟性のあるバンド幅、呼出情報構造を含む、Ｓ３Ｇシステムのある特徴を用いて、デューティサイクルを低減し、これにより、ＵＥの電力消費を低減している。
【０００９】
本発明の方法と装置を用いて、呼出情報の高速フーリエ変換処理の時間が広いＢＷのＳ３Ｇ実施形に対しても大幅に削減される。
【発明を実施するための最良の形態】
【００１０】
以下、本発明の例示的な実施例について説明する。明瞭さの点から、実際の実施形における全ての特徴がここで説明される訳ではない。そのような実際の実施形でのいずれの開発においても、多くの実施形に特有の決定がなされ、ある実施形から別の実施形へと変化するシステムに関係した制限に従うような発明者の具体的な目標に達する必要があることが認識されるであろう。さらに加えて、そのような開発の努力は複雑で時間の要するものであるが、にもかかわらず、それは当業者が負わねばならない作業であることが認識されるであろう。
【００１１】
本発明の方法と装置は、柔軟性のあるバンド幅、呼出情報構造を含む、Ｓ３Ｇシステムのある特徴を利用して、デューティサイクルを低減し、これにより、ＵＥの電力消費を低減している。本発明の方法と装置において、最後のＴＴＩにおいてＵＥに対するデータがなかったと仮定すれば、ＵＥの受信器（ＲＸ）は新しいＴＴＩまでオフである。無線系のあるモジュールがＴＴＩ開始の直前の時刻Δでチューニングされ、ＴＴＩの開始時には無線系は安定する。言い換えると、スタンバイ或はアイドルモードにおいてオフされた無線系のモジュールはオンされて呼出情報とデータとを受信する。無線系により受信された信号はダウンコンバートされて、ＦＦＴモジュールは最初のＯＦＤＭシンボルの処理を開始する。Ｓ３Ｇの場合、１つのＯＦＤＭに対するＦＦＴサイズはＮである。Ｎは２０４８キャリアであるが、バンド幅が２０ＭＨｚであれば１２００キャリアだけが用いられる。もし、そのＢＷが１０ＭＨｚに等しいなら、ＦＦＴのサイズは１０２４キャリアであるが６００キャリアだけが用いられる。その残りはゼロにセットされる。最初のＯＦＤＭシンボルがＦＦＴにより処理され、呼出情報が抽出されて検出される。もし、そのＵＥに対して意図されたものとしてパケットが検出されたなら、ＦＦＴ処理は全ＴＴＩにわたって継続し、そうでなければ、受信器のベースバンドプロセッサは呼出検出の後、できるだけ少ない遅延でオフされる。呼出検出がオフされるのが速ければ速いほど、デューティサイクルは小さくなる。ＦＦＴ処理に要する時間は、システムクロックとＦＦＴ長に比例する。合理的な複雑さがあるＦＦＴ実施形に関して言えば、ＦＦＴ処理に要する時間は、Ｎに比例し、最大でＮ・ｌｏｇ2（Ｎ）である。Ｎ＝２０４８で、システムクロックが１００ＭＨｚである場合の２０ＭＨｚのＢＷをもつ信号を処理すると、ＦＦＴ処理に要する時間は、実施形に依存するが、Ｎ／ｆclock≒２０μｓからＮ×ｌｏｇ2（Ｎ）／ｆclock≒２２５μｓである。ＴＴＩが０．５ｍｓなので、１つのＯＦＤＭシンボルは７０μｓである。ここで、１つのＴＴＩには７つのＯＦＤＭシンボルがあり、ＦＦＴ処理時間は呼出情報に相対的には重要なものであり、これによりデューティサイクルを大きくする。
【００１２】
呼出情報は、例えば、１ＭＨｚのような小さいＢＷに集中しているので、Ｎ＝１２８のようなより小さいＦＦＴ長が呼出情報のＦＦＴ処理に用いられ、これにより、ＦＦＴの実施形に依存するが、その処理時間を１．３μｓ（ファクタが１６）或は９μｓ（ファクタが２５）に低減している。ｆclock＝１００ＭＨｚであるなら、ＦＦＴ処理に要する時間は次のように計算される。
【００１３】
Ｎ＝２０４８である場合、
ｔ1＝Ｎ／ｆclock＝２０４８／（１００×１０6）≒２０μｓ
ｔ2＝Ｎ×ｌｏｇ2（Ｎ）／ｆclock
＝２０４８×ｌｏｇ2（２０４８）／（１００×１０6）
≒２２５μｓ
である。
【００１４】
Ｎ＝１２８である場合、
ｔ1＝Ｎ／ｆclock＝１２８／（１００×１０6）≒１．３μｓ
ｔ2＝Ｎ×ｌｏｇ2（Ｎ）／ｆclock
＝２０４８×ｌｏｇ2（１２８）／（１００×１０6）
≒９μｓ
である。
【００１５】
その結果、性能は次のファクタだけ良くなる。即ち、
ｔ1;2048／ｔ1;128＝２０／１．３＝１６
ｔ2;2048／ｔ2;128＝２２５／９＝２５
である。
【００１６】
さらにその上、小さなＦＦＴを用いるために、本発明は完全なＯＦＤＭシンボルからの呼出情報をフィルタリングする。そのようなフィルタリングは、例えば、完全なＢＷが１．２５ＭＨｚである場合、Ｓ３Ｇ受信に対して最適化されたデジタルフィルタを用いて効率的に実施される。
【００１７】
さて、図２には、本発明の装置に従ってデータを処理するように適合されたＵＥ受信器のベースバンドプロセッサのブロック図が提供されている。ＢＷAを用いてＳ３ＧのＯＦＤＭシステムに対して接続モードにあるときの、ＵＥのベースバンドプロセッサの動作を説明する。ここで、Ａは、例えば、２０ＭＨｚである。オプションのアナログフィルタ（ＡＦ）２０２と必要なデジタルフィルタ（ＤＦ）２０４はＢＷAに適合されている。内部クロックタイマ２０５はＴＴＩが開始するのに先立ちＵＥのベースバンドプロセッサをオンする。図２に見られるように、信号がフロントエンド受信器（ＦｅＲＸ）２０１で受信されてベースバンド信号にダウンコンバートされ、ＡＦ２０２でアナログフィルタされ、アナログデジタル（Ａ／Ｄ）変換器２０３においてアナログからデジタル信号に変換される。その信号は、ＤＦ２０４においてデジタル的にフィルタリングされて、バッファ２０６に格納される。また、パケット呼出情報を含む最初のＯＦＤＭ信号は第２のブランチ２０７にフィードされ、デジタルミキサ２０８によりデジタル的に呼出情報（ｆp）の中心周波数にダウンコンバートされ、その呼出情報は呼出情報ＢＷBに適合したＢＷをもつデジタルローパス（ＬＰ）フィルタ（ＤＦ２）２０９を用いてフィルタされる。なお、デジタルミキサ２０８は、もし呼出情報がそのシンボルの中央にあるなら不必要である。その呼出情報はＭ段のＦＦＴMプロセッサ２１０により高速フーリエ変換処理される。本発明の実施例では、Ｍ＝１２８である。ＦＦＴMプロセッサ２１０の出力は、呼出検出器２１１にフィードされる。その呼出検出器は呼出情報信号を検出するように適合されている。ＵＥに宛てられた何らかのデータパケットがあるなら、その信号はバッファ２０６からＮ段のＦＦＴNプロセッサ２１２にプレイバックされる。本発明の実施例では、Ｎ＝２０４８である。ＦＦＴMプロセッサ２１０とＦＦＴNプロセッサ２１２とは、ＭがＮより小さいとするなら、何らかの適切な寸法をもつと良い。その信号がバッファ２０６から取り出された後、全ＯＦＤＭ信号がＦＦＴNプロセッサ２１２により高速フーリエ変換処理される。もし、データがＵＥに宛てられたものでないなら、その受信は終了し、ベースバンドプロセッサはスタンバイモード或はアイドルモードに置かれる。スタンバイモード或はアイドルモードでは、ＵＥはＦｅＲＸ２０１、オプションのＡＦ２０２、Ａ／Ｄ２０３、ＤＦ２０４、ＤＦ２  ２０９、呼出検出器２１１、及びＦＦＴMとＦＦＴNをオフにする。オンに留まる唯一のものは、タイミングを制御する内部クロック／タイマ２０５である。
【００１８】
図３は、本発明の方法のフローチャートを示す。そこに見られるように、図２に示したようなベースバンドプロセッサをもつ受信器は、ステップ３０５ではＴＴＩ開始に先立つ時刻Δまでスタンバイモード或はアイドルモードに留まる。Δの値は、ＴＴＩが開始するときに無線系が安定するような値である。ステップ３１０では無線系がオンされ、ステップ３２０では、信号が受信され、ダウンコンバートされ、バッファに格納される。信号の最初の部分はまた、ステップ３２０において、狭帯域デジタルフィルタ（ＢＷB）によりフィルタされ、ＦＦＴM処理されて、呼出信号を抽出する。それから、その呼出信号はステップ３３０で検出される。その処理された呼出情報がこれに伴うデータがＵＥに宛てられたものではないことを示すなら、受信は終了し、無線系とベースバンドプロセッサとは、ステップ３３５において、スタンバイモード或はアイドルモードに置かれ、バッファは消去され、処理はＴＴＩの開始に先立つ時刻Δまで待ち合わせる処理に戻る。前に述べたように、スタンバイモード或はアイドルモードにおいて、ＵＥは、図２に示されるようなＦｅＲＸ２０１、オプションのＡＦ２０２、Ａ／Ｄ２０３、ＤＦ２０４，ＤＦ２  ２０９、呼出検出器２１１、及びＦＦＴMとＦＦＴNをオフする。オンに留まる唯一のものは、タイミングを制御する内部クロック／タイマ２０５である。もし、呼出情報がこれに伴うデータが現在のＴＴＩにおいてＵＥに宛てられたものであることを示すなら、バッファに格納された情報がプレイバックされ、ステップ３４０では、完全な（ＦＦＴM）信号のＦＦＴN処理が発生する。従って、その信号はステップ３５０においてデコードされる。
【００１９】
上述の方法では、全ＢＷA信号が格納され、もし呼出情報がデータがＵＥに対するものであることを示すならＦＦＴN処理だけが行われることを仮定した。これに代わり、ＦＦＴN処理がＦＦＴM処理と並行的に実行することもできる。この代替的な方法では、呼出信号がこれに伴うデータがＵＥに対するものではないことを示すなら、ＦＦＴN処理は終了する。
【００２０】
従来の方法や装置を超える本発明の方法には数多くの利点がある。説明したいずれかの方法を実施する装置において、データ処理の遅延は従来の手段により処理されるものと比較して小さくなる。
【００２１】
当業者であれば、ここで説明した種々の実施例において例示した種々のシステムレイヤ、ルーティン、或は、モジュールは、実行可能な制御ユニットでも良いことを認識するであろう。その制御ユニットは、マイクロプロセッサ、マイクロコントローラ、デジタル信号プロセッサ、（１つ以上のマイクロプロセッサ或はコントローラを含む）プロセッサカード、或は、他の制御或はコンピューティングデバイスと共に、１つ以上の記憶デバイス内に含まれる実行可能な命令をも含むかもしれない。その記憶デバイスは、データや命令を格納する１つ以上の装置が読み出し可能な記憶媒体を含むかもしれない。その記憶媒体は、ダイナミック或はスタティックランダムアクセスメモリ（ＤＲＡＭ或はＳＲＡＭ）、消去可能でプログラム可能な読出し専用メモリ（ＥＰＲＯＭ）、電気的に消去可能でプログラム可能な読出し専用メモリ（ＥＥＰＲＯＭ）、及びフラッシュメモリのような半導体メモリデバイス、固定、フロッピィ、取り外し可能なディスクのような磁気ディスク、テープを含む他の磁気媒体、コンパクトディスク（ＣＤ）或はデジタルビデオディスク（ＤＶＤ）のような光学媒体を含む異なる形式のメモリを含むかもしれない。種々のシステムにおける種々のソフトウェアレイヤ、ルーティン、或はモジュールを構成する命令は各記憶デバイスに格納されると良い。各制御ユニットにより実行されるとき、これらの命令により対応するシステムがプログラムされた動作を実行する。
【００２２】
本出願で説明した発明の進歩的な概念は広範囲なアプリケーションにわたって変形されたり、変更することができる。従って、特許されるべき主題の範囲は、上述した具体的かつ代表的な教示のいかなるものにも限定されるべきではない。
【図面の簡単な説明】
【００２３】
【図１】従来のＯＦＤＭ信号を示す図である。
【図２】本発明の装置に従ってデータを処理するように適合されたＵＥ受信器のブロック図である。
【図３】本発明の方法のフローチャートである。
【図１】
2009522969.tif 000003
【図２】
2009522969.tif 000004
【図３】
2009522969.tif 000005
【手続補正書】
【提出日】平成19年9月17日(2007.9.17)
【手続補正１】
【補正対象書類名】特許請求の範囲
【補正対象項目名】全文
【補正方法】変更
【補正の内容】
【特許請求の範囲】
【請求項１】
通信システムにおける情報の高速フーリエ変換（ＦＦＴ）処理の方法であって、
呼出情報をエンコードしたアナログ信号を受信する工程と、
前記アナログ信号を第１のデジタル信号に変換する工程と、
前記第１のデジタル信号を第１のバンド幅（ＢＷA）を有する第１のフィルタによりデジタル的にフィルタし、第２のデジタル信号を取得する工程と、
前記第２のデジタル信号をバッファに格納する工程と、
前記第１のデジタル信号を第２のバンド幅（ＢＷB）を有する第２のフィルタによりデジタル的にフィルタし、第３のデジタル信号を取得する工程と、
前記第３のデジタル信号のＭ段の高速フーリエ変換（ＦＦＴ）（ＦＦＴM）処理と前記第２のデジタル信号のＮ段の高速フーリエ変換（ＦＦＴ）（ＦＦＴN）処理とを同時に開始する工程と、
前記ＦＦＴM処理された第３のデジタル信号をデコードする工程と、
前記ＦＦＴM処理された第３のデジタル信号のデコードに基づいて、前記バッファからの前記第２のデジタル信号の前記ＦＦＴN処理が完了したかどうかを判断する判断工程とを有し、
ＭはＮより小さいことを特徴とする方法。
【請求項２】
前記第３のデジタル信号はパケット呼出情報を有することを特徴とする請求項１に記載の方法。
【請求項３】
前記第２のデジタル信号は非呼出データを含むことを特徴とする請求項１に記載の方法。
【請求項４】
ＢＷAはＢＷBより広いことを特徴とする請求項１に記載の方法。
【請求項５】
前記受信信号は直交周波数分割多重（ＯＦＤＭ）された信号であることを特徴とする請求項１に記載の方法。
【請求項６】
前記受信信号は、第３世代の拡張（Ｓ３Ｇ）無線通信システムにおいて使用される直交周波数分割多重（ＯＦＤＭ）された信号であることを特徴とする請求項５に記載の方法。
【請求項７】
ＢＷAは約１．２５ＭＨｚであることを特徴とする請求項１に記載の方法。
【請求項８】
前記アナログ信号をデジタル信号に変換するのに先立ち、前記アナログ信号をフィルタリングする工程をさらに有することを特徴とする請求項１に記載の方法。
【請求項９】
前記第１のデジタル信号をミキサで他の信号とミックスして前記第１のデジタル信号をダウンコンバートし、前記第３のデジタル信号が呼出情報（ｆp）信号の中心周波数にあるようにする工程をさらに有することを特徴とする請求項１に記載の方法。
【請求項１０】
ユーザ機器（ＵＥ）の呼出情報の高速フーリエ変換（ＦＦＴ）処理を行う装置であって、
呼出情報をエンコードした無線周波数（ＲＦ）アナログ信号を受信してベースバンド信号にダウンコンバートするように適合されたフロントエンド受信器と、
前記フロントエンド受信器と結合され、ＲＦアナログ信号をデジタル信号に変換するように適合されたアナログデジタル（Ａ／Ｄ）変換器と、
前記Ａ／Ｄ変換器の出力からの第１のブランチに結合される、所定のバンド幅（ＢＷA）を有する第１のデジタルフィルタと、
前記第１のデジタルフィルタに結合され、前記デジタル信号を格納するように適合されたバッファと、
前記バッファの出力に結合され、前記デジタル信号を処理するように適合された、Ｎ段の高速フーリエ変換（ＦＦＴ）（ＦＦＴN）プロセッサと、
所定のバンド幅（ＢＷB）を有する第２のデジタルフィルタと、
前記Ａ／Ｄ変換器の出力からの第２のブランチに切り替え可能に結合され、前記Ａ／Ｄ変換器の出力からの第２のブランチを前記第２のデジタルフィルタに切り替え可能に結合するように適合されたクロック／タイマと、
前記第２のデジタルフィルタの出力に結合された、Ｍ段の高速フーリエ変換（ＦＦＴ）（ＦＦＴM）プロセッサと、
前記ＦＦＴMプロセッサの出力に結合され、呼出情報信号を検出するように適合された呼出検出器とを有し、
ＭはＮより小さく、
前記装置は、前記呼出検出器によって検出される呼出情報信号が前記装置に対するものであることが意図されていることを示すなら、前記バッファに格納された情報を取り出すように適合されていることを特徴とする装置。
【請求項１１】
前記装置は、前記呼出検出器によって検出される呼出情報信号が前記装置に対して意図されたものでないことを示しているなら、前記フロントエンド受信器と、ＦＦＴプロセッサと、フィルタとをスタンバイモードにするように適合されていることを特徴とする請求項１０に記載の装置。
【請求項１２】
直交周波数分割多重（ＯＦＤＭ）された信号を処理するように適合されていることを特徴とする請求項１０に記載の装置。
【請求項１３】
前記受信信号は、第３世代の拡張（Ｓ３Ｇ）無線通信システムにおいて使用される直交周波数分割多重（ＯＦＤＭ）された信号であることを特徴とする請求項１０に記載の装置。
【請求項１４】
前記ベースバンド信号をフィルタリングするように適合され、前記フロントエンド受信器の出力と前記Ａ／Ｄ変換器の入力との間に結合されるアナログフィルタをさらに有することを特徴とする請求項１０に記載の装置。
【請求項１５】
呼出情報（ｆp）信号の中心周波数にダウンコンバートするように適合され、前記Ａ／Ｄ変換器の出力からの前記第２のブランチと前記第２のデジタルフィルタとの間に結合されたミキサをさらに有し、
前記クロック／タイマは前記ミキサを前記Ａ／Ｄ変換器の出力からの前記第２のブランチに切り替え可能に結合するように適合されていていることを特徴とする請求項１０に記載の装置。
【国際調査報告】
2009522969.tif 000006
2009522969.tif 000007